(57)【要約】【課題】  内反小指、外販母指等の足指障害を緩和するくつ下及びくつ下製造方法を提供する。【解決手段】  全体を筒状体として丸編により編成されるくつ下において、前記筒状体の先端部に編成されるトウ部１に小指挿入部１１、親指挿入部１２及び３本指挿入部１３が形成され、前記複数の指挿入部からなるトウ部が筒状体の先端の端部開口部を縫い合わせる縫製ラインより筒状体の先端側に形成される構成により、小指が薬指下に潜り込むという内反小指特有な小指の障害を十分に緩和することができる。【選択図】図１
2010121227.tif 000002
【特許請求の範囲】
【請求項１】
全体を筒状体として丸編により編成されるくつ下において、
前記筒状体の先端部に編成されるトウ部が袋状の指挿入部を複数に分割して形成され、
前記複数の指挿入部からなるトウ部が筒状体の先端の端部開口部を縫い合わせる縫製ラインより筒状体の先端側に形成されることを
特徴とするくつ下。
【請求項２】
前記請求項１に記載のくつ下において、
前記複数に分割された指挿入部のうち、小指を挿入する小指挿入部が、他の指挿入部より縫製ライン側に形成されることを
特徴とするくつ下。
【請求項３】
前記請求項１に記載のくつ下において、
前記複数に分割された指挿入部のうち、親指を挿入する親指挿入部が、他の指挿入部より縫製ライン側に形成されることを
特徴とするくつ下。
【請求項４】
前記請求項１に記載のくつ下において、
前記複数の分割された指挿入部のうち、小指を挿入する小指挿入部及び親指を挿入する親指挿入部が、他の指挿入部より縫製ライン側に形成されることを
特徴とするくつ下。
【請求項５】
前記請求項２に記載のくつ下において、
前記小指挿入部が他の指挿入部の側端に一部ウェールを重畳されて形成されることを
特徴とするくつ下。
【請求項６】
前記請求項３又は５に記載のくつ下において、
前記親指挿入部が他の指挿入部の側端に一部重畳されて形成されることを
特徴とするくつ下。
【請求項７】
くつ下全体を丸編機により筒状体として編成し、当該筒状体の先端におけるトウ部を丸編機のシリンダにおける全周のうちの所定範囲のみで目減らし及び目増しして編成し、前記筒状体先端の端部開口部を縫い合わせて形成する靴下製造方法において、
前記トウ部が、小指を挿入する小指挿入部と親指を挿入する親指挿入部と他の指を挿入する他の指挿入部とを、前記端部開口部を縫い合わせて形成される縫製ラインより筒状体の先端側に形成され、
前記小指挿入部の編成後に親指挿入部が前記シリンダの所定範囲における一端側近傍で編成され、
前記親指挿入部の編成後に他の指挿入部が編成されることを
特徴とするくつ下製造方法。
【請求項８】
前記請求項７に記載のくつ下製造方法において、
前記小指挿入部の側端部及び親指挿入部の側端部と、前記他の指挿入部の両側端部とが、前記筒状体のウェール方向で一部重畳して編成されることを
特徴とするくつ下製造方法。
【発明の詳細な説明】
【技術分野】
【０００１】
本発明は、トウ部が分割されたくつ下に関し、特に内反小指、外販母指等の足指障害を緩和するくつ下及びくつ下製造方法に関する。
【背景技術】
【０００２】
背景技術として特許文献１に開示されるくつ下があり、内反小趾用として記載されている。この背景技術に係る内反小趾用くつ下は、足の小指が親指方向に曲がる内反小跡を防止又は矯正する内反小跡用くつ下であって、該くつ下の爪先部が、足の小指が挿入される小指部、親指が挿入される親指部及び他の指が挿入される他の指部に三分割されて形成され、小指部が、他の指部から独立して形成されていると共に、その先端部がくつ下の側方に突出するように形成されている。この構成に基づき内反小趾用くつ下は、容易に履くことができ、且つ小指（第５指）と第４指との間を可及的に広げることができることとなる。
【特許文献１】特開２００２−２６６１０９号公報
【発明の開示】
【発明が解決しようとする課題】
【０００３】
背景技術に係る内反小指用くつ下及びその製造方法は、小指挿入部が縫目（縫製ライン）よりくつ下の踵部側の部位から分岐されるように形成されていることから、くつ下の被着者の小指付け根部分にも強く後方への力が加えられることとなり、小指が薬指下に潜り込むという内反小指特有な小指の障害を十分に緩和することができないという課題を有する。即ち、前記内反小指用くつ下は、小指を後方の踵部側へ引き寄せるという力を加える作用を有するものの、小指付け根部分に大きな後方への力が加わることから、小指を側方に確実に広げることができない。
【０００４】
特に、小指の付け根分に大きな後方への力が加わることから、この小指付け根部分に強く食い込んで、くつ下被着者の着用感を悪化させることとなる。
【課題を解決するための手段】
【０００５】
本発明に係るくつ下は、全体を筒状体として丸編により編成されるくつ下において、前記筒状体の先端部に編成されるトウ部が袋状の指挿入部を複数に分割して形成され、前記複数の指挿入部からなるトウ部が筒状体の先端の端部開口部を縫い合わせる縫製ラインより筒状体の先端側に形成されるものである。
【０００６】
また、本発明に係るくつ下は必要に応じて、複数に分割された指挿入部のうち、小指を挿入する小指挿入部が、他の指挿入部より縫製ライン側に形成されるものである。
【０００７】
また、本発明に係るくつ下は必要に応じて、複数に分割された指挿入部のうち、親指を挿入する親指挿入部が、他の指挿入部より縫製ライン側に形成されるものである。
【０００８】
また、本発明に係るくつ下は必要に応じて、複数の分割された指挿入部のうち、小指を挿入する小指挿入部及び親指を挿入する親指挿入部が、他の指挿入部より縫製ライン側に形成されるものである。
【０００９】
また、本発明に係るくつ下は必要に応じて、小指挿入部が他の指挿入部の側端に一部ウェールを重畳されて形成されるものである。
【００１０】
また、本発明に係るくつ下は必要に応じて、親指挿入部が他の指挿入部の側端に一部重畳されて形成されるものである。
【００１１】
本発明に係るくつ下製造方法は、くつ下全体を丸編機により筒状体として編成し、当該筒状体の先端におけるトウ部を丸編機のシリンダにおける全周のうちの所定範囲のみで目減らし及び目増しして編成し、前記筒状体先端の端部開口部を縫い合わせて形成する靴下製造方法において、前記トウ部が、小指を挿入する小指挿入部と親指を挿入する親指挿入部と他の指を挿入する他の指挿入部とを、前記端部開口部を縫い合わせて形成される縫製ラインより筒状体の先端側に形成され、前記小指挿入部の編成後に親指挿入部が前記シリンダの所定範囲における一端側近傍で編成され、前記親指挿入部の編成後に他の指挿入部が編成されるものである。
【００１２】
また、本発明に係るくつ下製造方法は必要に応じて、小指挿入部の側端部及び親指挿入部の側端部と、前記他の指挿入部の両側端部とが、前記筒状体のウェール方向で一部重畳して編成されるとするものである。
【発明を実施するための最良の形態】
【００１３】
（本発明の第１の実施形態）
以下、本発明の第１の実施形態に係るくつ下をこの製造方法と共に、図１ないし図４に基づいて３本指のくつ下について説明する。この図１は、本実施形態に係るくつ下のトウ部の平面図・正面図・底面図、図２は本実施形態に係るくつ下を編成する丸編機のシリンダにおける編成動作説明図、図３は図２により編成されたくつ下の親指挿通部、小指挿通部を起立させた状態の平面図、図４は図２により編成されたくつ下の斜視図を示す。
【００１４】
前記各図において本実施形態に係るくつ下は、口ゴム部５と、レッグ部４と、ヒール部３と、フート部２と、トウ部１と、このフート部２及びトウ部１に連続する端部開口部となるルーズ・コース６０を順次丸編機により編成される。前記トウ部１は、小指を挿入する小指挿入部１１と、親指を挿入する親指挿入部１２と、小指・親指以外の他の三本指を挿入する３本指挿入部１３とを袋状に分割して編成する。
【００１５】
この小指挿入部１１、親指挿入部１２及び３本指挿入部１３は、前記ルーズ・コース６０を縫い合わせて形成される縫製ライン６より筒状体の先端側に形成される。前記小指挿入部１１と３本指挿入部１３とは、この小指挿入部１１の側端部１１ａと３本指挿入部１３の側端部１３ａにおけるウェール方向の一部を共通とし、コースを異なるように編成される。
【００１６】
前記フート部２は、親指挿入部１２側の側方から小指挿入部１１側の側方に向かって傾斜した方向で、被着者の中趾節関節に相当する部位を締付ける締付部２２が形成される。この締付部２２は、プレーン編等の編地２１にカットボス等を編成することにより、編地２１より強い緊締力を付与することができることとなる。
【００１７】
次に前記構成に基づく本実施形態に係るくつ下の製造方法について説明する。
まず、くつ下の口ゴム部５は、編地２１を一重又は二重（ダブルウェルト；袋編）に編立てることによりメークアップ編成で形成される。
前記レッグ部４は、丸編機におけるシリンダの全周を編成範囲として使用し、複数のコースを順次繰り返すことにより編成される。このレッグ部４の編成に連続してヒール部３の編成を行う。このヒール部３は、シリンダの略半周を編成範囲として使用し、このシリンダの編成範囲以外にある長バットニードルを非編成レベル（センター・カムの上面）に上げると共に、前記シリンダの編成範囲にある短バットニードルにてシリンダの正逆復回転により針上げピッカー及び針下げによる目減らしと目増やしとを行って前記レッグ部４の筒状体の一側に袋状の編地を編成する。
【００１８】
このレッグ部４とヒール部３とに連続して編成される前記フート部２は、レッグ部４と同様に丸編機におけるシリンダの全周を編成範囲として使用し、複数のコースを順次繰り返すことにより編成される。このフート部２は、編地２１の途中で地糸より強い（糸が太い）糸を編み込む、例えばカットボス等により締付部２２が編成される。前記フート部２に連続して前記トウ部１は、小指を挿入する小指挿入部１１を編成し、次に親指を挿入する親指挿入部１２を編成し、さらに他の指を挿入する３本指挿入部１３を編成し、この小指挿入部１１、親指挿入部１２及び３本指挿入部１３の編成後にルーズ・コース６０の端部開口部（図示を省略）を編成する。
【００１９】
前記小指挿入部１１は、前記シリンダの編成範囲Ｉにおける一端側近傍で編成される。前記小指挿入部１１の編成後に親指挿入部１２は、前記シリンダの編成範囲Iにおける他端側近傍の親指部編成範囲IIIで編成される。前記親指挿入部１２の編成後に３本指挿入部１３は、前記小指挿入部１１の側端部１１ａ及び親指挿入部１２の側端部１２ａに両側端部１３ａ、１３ｂが、前記筒状体のウェール方向で一部重畳して編成される。
さらに、トウ部１が編成された後にルーズ・コース６０の端部開口部が編成され、この端部開口部は縫い合わされてくつ下として形成される。前記小指挿入部１１、親指挿入部１２及び３本指挿入部１３からなるトウ部１は、端部開口部を縫い合わせて形成される縫製ライン６より筒状体の先端側に形成されることとなる。
【００２０】
以上のように、本実施形態に係るくつ下は、小指挿入部１１を３本指挿入部１３のウェール方向の一部を重畳して編成し、小指挿入部１１が３本指挿入部１３の上側に位置するように形成されたことから、小指が薬指下に潜り込むという内反小指特有な小指の障害を十分に緩和することができる。特に、小指の付け根分を圧迫することがないことから、この小指付け根部分に強く食い込むことなく、くつ下被着者の着用感を向上させることができる。さらに、親指挿入部１２も小指挿入部１１と同様に３本指挿入部１３のウェール方向の一部を重畳させて親指挿入部１２が３本指挿入部１３の上側に位置するように編成されたことから、外反母趾による障害も併せて緩和し、未然に防止できることとなる。
【００２１】
（本発明の第２の実施形態）
以下、本発明の第２の実施形態に係るくつ下をこの製造方法と共に、図５ないし図８に基づいて２本指のくつ下について説明する。この図５は、本実施形態に係るくつ下のトウ部の平面図・正面図・底面図、図６は本実施形態に係るくつ下を編成する丸編機のシリンダにおける編成動作説明図、図７は図２により編成されたくつ下の親指挿通部、小指挿通部を起立させた状態の平面図、図８は図２により編成されたくつ下の斜視図を示す。
【００２２】
前記各図において本実施形態に係るくつ下は、前記第１の実施形態と同様に、口ゴム部５と、レッグ部４と、ヒール部３と、フート部２と、トウ部１と、このフート部２及びトウ部１に連続する端部開口部となるルーズ・コース６０を順次丸編機により編成される。前記トウ部１は、小指を挿入する小指挿入部１１と、小指以外の他の四本指を挿入する４本指挿入部１４とを袋状に分割して編成する。
【００２３】
この小指挿入部１１、及び４本指挿入部１４は、前記ルーズ・コース６０を縫い合わせて形成される縫製ライン６より筒状体の先端側に形成される。前記小指挿入部１１と４本指挿入部１４とは、この小指挿入部１１の側端部１１ａと４本指挿入部１４の側端部１４ａにおけるウェール方向の一部を共通とし、コースを異なるように編成される。
【００２４】
前記フート部２は、親指挿入部１２側の側方から小指挿入部１１側の側方に向かって傾斜した方向で、被着者の中趾節関節に相当する部位を締付ける締付部２２が形成される。この締付部２２は、プレーン編等の編地２１にカットボス等を編成することにより、編地２１より強い緊締力を付与することができることとなる。
【００２５】
次に前記構成に基づく本実施形態に係るくつ下の製造方法について説明する。
まず、くつ下の口ゴム部５は、編地２１を一重又は二重（ダブルウェルト；袋編）に編立てることによりメークアップ編成で形成される。
前記レッグ部４は、丸編機におけるシリンダの全周を編成範囲として使用し、複数のコースを順次繰り返すことにより編成される。このレッグ部４の編成に連続してヒール部３の編成を行う。このヒール部３は、シリンダの略半周を編成範囲として使用し、このシリンダの編成範囲以外にある長バットニードルを非編成レベル（センター・カムの上面）に上げると共に、前記シリンダの編成範囲にある短バットニードルにてシリンダの正逆復回転により針上げピッカー及び針下げによる目減らしと目増やしとを行って前記レッグ部４の筒状体の一側に袋状の編地を編成する。
【００２６】
このレッグ部４とヒール部３とに連続して編成される前記フート部２は、レッグ部４と同様に丸編機におけるシリンダの全周を編成範囲として使用し、複数のコースを順次繰り返すことにより編成される。このフート部２は、編地２１の途中で地糸より強い（糸が太い）糸を編み込む、例えばカットボス等により締付部２２が編成される。前記フート部２に連続して前記トウ部１は、小指を挿入する小指挿入部１１を編成し、次に小指以外の他の指を挿入する４本指挿入部１４を編成し、この小指挿入部１１、親指挿入部１２及び４本指挿入部１４の編成後にルーズ・コース６０の端部開口部（図示を省略）を編成する。
【００２７】
前記小指挿入部１１は、前記シリンダの編成範囲Ｉにおける一端側近傍で編成される。前記小指挿入部１１の編成後に４本指挿入部１４は、前記小指挿入部１１の側端部１１ａに側端部１２ａに両側端部１３ａが、前記筒状体のウェール方向で一部重畳して編成される。
【００２８】
さらに、トウ部１が編成された後にルーズ・コース６０の端部開口部が編成され、この端部開口部は縫い合わされてくつ下として形成される。前記小指挿入部１１及び４本指挿入部１４からなるトウ部１は、端部開口部を縫い合わせて形成される縫製ライン６より筒状体の先端側に形成されることとなる。
【００２９】
以上のように、本実施形態に係るくつ下は、小指挿入部１１を４本指挿入部１４のウェール方向の一部を重畳して編成し、小指挿入部１１が４本指挿入部１４の上側に位置するように形成されたことから、小指が薬指下に潜り込むという内反小指特有な小指の障害を十分に緩和することができる。特に、小指の付け根分を圧迫することがないことから、この小指付け根部分に強く食い込むことなく、くつ下被着者の着用感を向上させることができる。
【図面の簡単な説明】
【００３０】
【図１】本発明の第１の実施形態にに係るくつ下のトウ部の平面図・正面図・底面図である。
【図２】本発明の第１の実施形態に係るくつ下を編成する丸編機のシリンダにおける編成動作説明図である。
【図３】図２により編成されたくつ下の親指挿通部、小指挿通部を起立させた状態の平面図である。
【図４】図２により編成されたくつ下の斜視図である。
【図５】本発明の第２の実施形態にに係るくつ下のトウ部の平面図・正面図・底面図である。
【図６】本発明の第２の実施形態に係るくつ下を編成する丸編機のシリンダにおける編成動作説明図である。
【図７】図６により編成されたくつ下の親指挿通部、小指挿通部を起立させた状態の平面図である。
【図８】図６により編成されたくつ下の斜視図である。
【符号の説明】
【００３１】
１      トウ部
１１    小指挿入部
１１ａ  側端部
１２    親指挿入部
１２ａ  側端部
１３    ３本指挿入部
１３ａ、１３ｂ  両側端部
１４    ４本指挿入部
２      フート部
３      ヒール部
４      レッグ部
６      縫製ライン
６０    ルーズ・コース
【図１】
2010121227.tif 000003
【図２】
2010121227.tif 000004
【図３】
2010121227.tif 000005
【図４】
2010121227.tif 000006
【図５】
2010121227.tif 000007
【図６】
2010121227.tif 000008
【図７】
2010121227.tif 000009
【図８】
2010121227.tif 000010